(57)【特許請求の範囲】
【請求項１】
水中での動きに変化を持たせるためのブレードの両端部に小孔を設けると共に、その小孔の一方には釣糸を、他方の小孔には釣針などを取付けて、魚が掛かった状態では、前記ブレードがブレード本体の両端側に引張られるルアー用のはりす装置において、
前記ブレードに設けた小孔には、リングなどの輪形を介して取付けた前記釣糸や釣針などをブレードから取外したり取付けたりするために、前記小孔のブレード中央部側には小孔の内側に向って、外れ防止用としての一対の小突起を配設すると共に、これらの小突起間から少なくともその一部が、ブレード中央部側の外形方向に向って配設され、前記釣糸や釣針などに設けた輪形が容易に通過して引掛け状態で前記小孔に取付けできるようにした溝状の着脱手段とからなるルアー用のはりす装置。
【請求項２】
水中での動きに変化を持たせるためのブレード本体と、
このブレード本体の両端に、それぞれ釣糸や釣針などを取付けるために設けた小孔と、
この小孔の前記ブレード本体中央部側には、小孔の内側に向って外れ防止用としての一対の小突起を設けると共に、これらの小突起から少なくともその一部が、ブレード中央部側の外形方向に向って配設され、前記釣糸や釣針などに設けた輪形が容易に通過して引掛け状態で前記小孔に取付けできるようにした溝状の着脱手段とからなるブレード。
【発明の詳細な説明】
【０００１】
【産業上の利用分野】
本発明は、釣糸や釣針がリングと共に、ブレードから容易に取外しできるように改善したルアー用のはりす装置及びその装置に用いるブレードに関する。
【０００２】
【従来の技術】
本発明の従来例について、図面を参照して説明する。図５は本発明の従来例でルアー用のはりす装置を示す斜視図、図６は図５で示した釣針の取付説明図である。
従来例のルアー用はりす装置として、スプーン形を例に説明する。図５で示すように従来例のルアー用はりす装置１は、さじ先端の形をしたブレード２と、このブレードの両端に設けた小孔に、それぞれリングを設けると共に、その一方のリングには釣針８を配設したものが知られている。
【０００３】
ブレード２は各種の形があって、水中や水面ではその動きに変化を持たせることができるものである。このブレード２の一端には、リング４を介して図示しない釣糸を取付けする。ブレードの他方にはコイル状に巻廻したリング５を介して、釣針８を取付けしている。
釣針８は図６で示すように、コイル巻したリング５の端部を開いて、釣針８の取付部を挿入すると共にリング５を回転させる。すると、釣針の取付部は、リング５を形成する線材の間を通って、輪形内に取付けできるものである。
【０００４】
【発明が解決しようとする課題】
このようなルアー用のはりす装置によれば、リングに釣針や釣糸を取付けすることが非常に面倒であった。特に釣針などは釣の途中で交換することが多く、その着脱に時間がかかると、せっかくのチャンスを逃すこともあって、素早く交換できることが望まれていた。
本発明は、このような不具合を解消するためになされたものであり、着脱が簡単にできるルアー用のはりす装置及びその装置に用いるブレードの提供を目的とする。
【０００５】
【課題を解決するための手段】
上記不具合を解決するために、本発明は次のような構成としている。
請求項１に記載したルアー用のはりす装置は、水中での動きに変化を持たせるためにブレード本体の両端部にそれぞれ小孔を設けると共に、一方の小孔には釣糸を他方の小孔には釣針などを取付けて、魚が掛った状態では前記ブレード本体の両端側に引張られる力向の力が付加されるルアー用のはりす装置において、前記小孔にはリングなどの輪形を介して取付けた釣糸や釣針などの着脱用として、それぞれの小孔のブレード中央部側には、小孔の内側に向って外れ防止用としての一対の小突起を設けた。また、これらの小突起間からは、少なくともその一部が、ブレード中央部側の外形方向に向って配設されると共に、前記釣糸や釣針などに設けた輪形が容易に通過して、引掛け状態で前記小孔に取付けできるようにした溝状の着脱手段を設けることで、ルアー用のはりす装置とした。
請求項２に記載したブレードは、水中での動きに変化を持たせるためのブレード本体の両端に、それぞれ釣糸や釣針などを取付けるために小孔を設けた。
これらの小孔の前記ブレード本体中央部側には、小孔の内側に向って外れ防止用としての一対の小突起を設けた。また、ブレード本体の中央部から少なくともその一部が、ブレード中央部側の外形方向に向って配設されると共に、前記釣糸や釣針などに設けた輪形が容易に通過して引掛け状態で前記小孔に取付けできるようにした溝状の着脱手段を設けることでブレードとした。
【０００６】
【作用】
ブレード本体の両端部にそれぞれ設けた小孔に、リングなどの輪形を介して引掛けた状態で取付ける釣糸や釣針などの着脱手段を設けることにより、それらを簡単に交換することができるから、釣場の条件に適したルアーを選んでチャンスを逃がすことなく釣ができるようにした。
この着脱手段は、魚が掛った場合には付加される力と、それぞれ反対方向に溝を配設したことと、小孔からこの溝への接続部に小突起を設けたこととによって、外れを完全に防止した。しかも、着脱する釣糸や釣針が、溝内を容易に通過できるようにしたことで、ブレードや釣針の交換が素早く容易にできるものである。
【０００７】
【実施例】
本発明の実施例について、図面を参照して説明する。図１は本発明のルアー用のはりす装置を示す斜視図、図２は図１のブレードを示す説明図である。
本発明のルアー用のはりす装置として、スプーン形のルアーを例に説明する。図１で示すようにルアー用のはりす装置１０は、その両端に着脱手段１５を設けたブレード１２と、このブレードに設けた着脱手段１５を介して取付けした釣針２５とからなる。
このような着脱手段１５付のブレード１２と、釣針２５とについて更に詳細に説明する。
ブレード１２は、さじの先端部と同様に湾曲形成されたブレード本体１３の両端に小孔１４を設けている。この小孔には輪形のリングや釣針などの一端に設けた輪形を直接取付けしたりするものであり、それぞれの小孔に着脱手段１５を設けている。着脱手段は、小孔１４とブレード本体１３の外形部を結ぶ溝状の切込１６よりなり、この溝はブレード本体の中央部側を基点として、湾曲しながら外形部に向って形成している。
この切込み１６は、リング２０などの輪形が容易に外れないように、またリング２０などの輪形が通過できる程度の溝幅であり、更に溝の形を一直線上に設けたものではなく、湾曲溝１７とすることで抜け防止に配慮している。
また、小孔１４と湾曲溝１７との接合部には、リングなどの輪形の通過をより完全に阻止する一対の小突起１９を、小孔１４内に突出して設けることで、更にリング２０などの輪形の抜け防止策としている
この小突起１９は、小孔に取付けたリング２０などが、湾曲溝１７の入り口に移動してきた場合に、小突起で停止させて溝内への移動を防止するものである。
釣針２５は図１で示すように、針の一端に輪形の糸を取付けしたものや、環部を針と一体に形成したものなどであり、市販品の釣針を使用している。
【０００８】
このように構成したルアー用のはりす装置１０の使用例について説明する。釣針２５や図示しないライン等は、それらの端部をリング２０に取付けしており、そのリング２０を、ブレード１２に設けられた着脱装置１５としての湾曲溝１７に挿入することで、小孔１４に取付けすることができる。
ラインや釣針２５を取付けしたリング２０は、使用中には常にブレード１２の両端側にそれぞれ引張られるから、ブレードの中央部側に設けた湾曲溝１７を介して、ブレードから外れるようなことはない。例えば、セットした魚がリングを外す方向に動いても、その動きは瞬間的なことであり、釣人はすぐにリングの外れない自分の方へ魚を引き寄せることと、切込１６の溝幅が狭く湾曲していることとで、釣針の外れる確率はほとんど無いに等しい。
釣は状況に合せて、ルアー全体や釣針のみを途中で交換することも良く行われるが、着脱手段１５を設けたブレード１２によれば、簡単にいつでも交換することができるものである。
【０００９】
着脱手段１５としての湾曲溝１７の他の例について説明する。図３は着脱手段の他の例を示す説明図、図４は図３の作用を示す説明図である。
図３で示すように着脱手段１５は、小孔１４のブレード中央部側から、ブレード本体１３の外形部に向けて設けたコ字状の切込よりなる折曲溝１８である。この溝は同一幅で形成しても良いが、コイル状に巻廻ししたコイルリング２１を使用することを考えて、溝幅を途中で変化させている。
すなわち、コイルリング２１は、線材が少くとも２本並列に配設して形成するために、折曲溝１８におけるコイルリングの移動方向によっては、溝幅が線材の略１本分で良かったり、２本分必要であったりすることを利用した溝である。
例えば、図４で示すコイルリング２１が、折曲溝１８内の図中で示すＡ方向に移動する場合は、線材が２本分の溝幅であり、Ｂ方向の場合は、線材が略１本分の溝幅を必要とする。
よって、Ａ方向とＢ方向では溝幅を変えることと、折曲溝１８とすることによって、更にコイルリング２１の外れが防止されるものである。このような折曲溝１８を用いた着脱手段１５も、図２で示した湾曲溝１７の場合と同様に、コイルリング２１に設けた釣針や釣糸を、簡単に交換することができるものである。
尚、折曲溝１８の両側と小孔１４との接合部に小突起１９を設けることは、図２で示した例と同様である。
【００１１】
【発明の効果】
以上説明したように本発明によれば、ブレードの両端に着脱手段を設けたことにより、以下の効果を得ることができた。
すなわち、ブレードの両端に設けた着脱手段を利用することにより、釣針の交換や、はりす全体の交換が簡単にできるようになったので、釣の状況に応じた対応が素早くできるようになった。
その結果、絶好の機会を逃すこともなく、楽しく釣ができるようになったなどの効果を得ることができた。
【図面の簡単な説明】
【図１】本発明のルアー用のはりす装置を示す斜視図である。
【図２】図１で示すブレードの説明図である。
【図３】図２で示す着脱手段の他の例を示す説明図である。
【図４】図３の作用を示す説明図である。
【図５】本発明の従来例で、ルアー用のはりす装置を示す斜視図である。
【図６】図５で示す釣針の取付説明図である。
【符号の説明】
１０  ルアー用のはりす装置
１２  ブレード
１３  ブレード本体
１４  小孔
１５  着脱手段
１６  切込
１７  湾曲溝
１８  折曲溝
２０  リング
２１  コイルリング
２５  釣針
【図１】
0003697466.tif 000002
【図２】
0003697466.tif 000003
【図３】
0003697466.tif 000004
【図４】
0003697466.tif 000005
【図５】
0003697466.tif 000006
【図６】
0003697466.tif 000007